(57)【要約】【課題】デジタルペンを利用した学習システムにおいて、学習者が誤って問題を簡単に反復学習できるようにする。【解決手段】データ格納部２から演習問題の画像データを読み出し、それらの識別子と出題番号との対応関係を決定、記録した後、出題番号順に画像メモリ部に格納する演習問題編集部８と、画像メモリのデータを読み出して問題用紙を出力するプリンタ部４と、デジタルペン筆記部１と、デジタルペン筆記部から出題番号順に○又は×の記号のデータを受ける毎に、出題番号との対応関係を記録する採点履歴記録部７を備える。演習問題編集部は、採点終了後、○が付された演習問題に代わる新たな演習問題の画像データをデータ格納部から読み出し、×が付された演習問題の画像データに加えて新たなデータの組を形成し、それらのデータの識別子と出題番号との対応関係を決定し、記録した後、出題番号順に画像メモリ部に上書き格納する。【選択図】図２
2009237487.tif 000002
【特許請求の範囲】
【請求項１】
デジタルペンを利用した学習システムであって、
各演習問題の画像データが対応する識別子とともに格納されたデータ格納部と、
画像メモリ部と、
前記データ格納部から所定の演習問題の画像データを読み出し、読み出した演習問題の画像データの識別子と出題番号との対応関係を決定し、当該対応関係を記録した後、前記読み出した画像データを前記出題番号順に前記画像メモリ部に格納する演習問題編集部と、
前記画像メモリに格納された演習問題の画像データを読み出して用紙に印刷し、問題用紙として出力するプリンタ部と、
デジタルペンと、解答済の前記問題用紙が保持されて前記デジタルペンによる筆記が可能な入力面と、前記解答済の問題用紙上における前記デジタルペンのペン先の動きを検出するセンサーとを有し、前記デジタルペンによって前記解答済の問題用紙に筆記された文字、数字、記号またはパターン、並びにその前記入力面上の位置に関するデータを出力するデジタルペン筆記部と、
前記デジタルペン筆記部から受けたデータが○または×の記号に関するか否かを判定する○×記号判定部と、
前記○×記号判定部の判定に従い、前記デジタルペン筆記部から出題番号順に○または×の記号に関するデータを受ける毎に、出題番号との対応関係を記録する採点履歴記録部と、
ディスプレイ部と、
前記ディスプレイ部に正誤欄を表示するとともに、前記採点履歴記録部のデータに基づき、前記正誤欄に前記解答済の問題用紙中の出題番号毎の正誤を表示する正誤表示部と、を備え、前記演習問題編集部は、すべての解答済演習問題の採点が終了したとき、前記採点履歴記録部に記録されたデータに基づき、×が付された演習問題の画像データを前記画像メモリ部から読み出すとともに、○が付された演習問題に代わる新たな演習問題の画像データを前記データ格納部から読み出し、それらの読み出した画像データの識別子と出題番号との対応関係を決定し、当該対応関係を記録した後、前記読み出した画像データを出題番号順に前記画像メモリ部に上書き格納することを特徴とする学習システム。
【請求項２】
前記○×記号判定部の判定に従い、前記デジタルペン筆記部から受けた○および×の記号に関するデータ並びにその前記入力面上の位置に関するデータを記録するペンデータ記録部をさらに備えており、
前記○×記号判定部は、前記デジタルペン筆記部からデータを受けたとき、そのデータを前記ペンデータ記録部に記録されたデータと比較し、前記デジタルペン筆記部の入力面に筆記された○の記号が、前記入力面に既に筆記された×の記号と予め決定された割合以上に重なると判定したとき、あるいは前記デジタルペン筆記部の入力面に筆記された×の記号が、前記入力面に既に筆記された○の記号と前記予め決定された割合以上に重なると判定したとき、前記採点履歴記録部に記録された該当する演習問題の正誤のデータを書き換えて、前記正誤表示部に前記正誤欄における該当する演習問題の正誤の表示を変更させることを特徴とする請求項１に記載の学習システム。
【請求項３】
正答数をカウントする正答数カウント部を備え、前記○×記号判定部は、前記デジタルペン筆記部から受けたデータが○の記号に関するものであると判定したとき、前記正答数カウント部のカウント値を１増加させるようになっており、さらに、前記正答数カウント部のカウント値が変化する毎に、前記正答数カウント部のカウント値を解答済演習問題の全問題数で割ることによって正答率を計算し、当該正答率を前記ディスプレイ部に表示する正答率表示部を備えていることを特徴とする請求項１に記載の学習システム。
【発明の詳細な説明】
【技術分野】
【０００１】
本発明は、コンピュータおよびデジタルペンを利用した学習システムに関するものである。
【背景技術】
【０００２】
従来技術において、デジタルペンを利用した問題演習および採点システムが知られている。このシステムは、コンピュータ本体、およびディスプレイ部、並びにキーボードおよびマウスを備えたコンピュータと、コンピュータ本体に接続されたデジタルペン筆記部とから構成される。デジタルペン筆記部の入力面は、ディスプレイ部の表示画面と同じフォーマットを有し、デジタルペンによって入力面に文字、数字、記号等が記入されると、それらは画像データ化されて、ディスプレイ部に表示された演習問題または解答済演習問題の画像データに組み込まれ、問題の採点時には正答率が自動的に計算され、ディスプレイ部に表示されるようになっている（特許文献１参照）。
【０００３】
このシステムによれば、学習者は、用紙に鉛筆等で書き込む感覚で、ディスプレイに表示された演習問題に解答を入力することができ、指導者もまた、用紙に鉛筆等で書き込む感覚で、ディスプレイに表示された解答済演習問題に○や×の記号や講評等を入力することができる。
【０００４】
しかしながら、この従来の問題演習システムにおいては、学習者が間違った解答をした問題を簡単に繰り返して演習することができなかった。
【０００５】
【特許文献１】特開２００４−３６１８２９号公報
【発明の開示】
【発明が解決しようとする課題】
【０００６】
したがって、本発明の課題は、デジタルペンを利用した学習システムにおいて、学習者が誤解答をした問題について簡単に反復学習ができるようにすることにある。
【課題を解決するための手段】
【０００７】
上記課題を解決するため、本発明は、デジタルペンを利用した学習システムであって、各演習問題の画像データが対応する識別子とともに格納されたデータ格納部と、画像メモリ部と、前記データ格納部から所定の演習問題の画像データを読み出し、読み出した演習問題の画像データの識別子と出題番号との対応関係を決定し、当該対応関係を記録した後、前記読み出した画像データを前記出題番号順に前記画像メモリ部に格納する演習問題編集部と、前記画像メモリに格納された演習問題の画像データを読み出して用紙に印刷し、問題用紙として出力するプリンタ部と、デジタルペンと、解答済の前記問題用紙が保持されて前記デジタルペンによる筆記が可能な入力面と、前記解答済の問題用紙上における前記デジタルペンのペン先の動きを検出するセンサーとを有し、前記デジタルペンによって前記解答済の問題用紙に筆記された文字、数字、記号またはパターン、並びにその前記入力面上の位置に関するデータを出力するデジタルペン筆記部と、前記デジタルペン筆記部から受けたデータが○または×の記号に関するか否かを判定する○×記号判定部と、前記○×記号判定部の判定に従い、前記デジタルペン筆記部から出題番号順に○または×の記号に関するデータを受ける毎に、出題番号との対応関係を記録する採点履歴記録部と、ディスプレイ部と、前記ディスプレイ部に正誤欄を表示するとともに、前記採点履歴記録部のデータに基づき、前記正誤欄に前記解答済の問題用紙中の出題番号毎の正誤を表示する正誤表示部と、を備え、前記演習問題編集部は、すべての解答済演習問題の採点が終了したとき、前記採点履歴記録部に記録されたデータに基づき、×が付された演習問題の画像データを前記画像メモリ部から読み出すとともに、○が付された演習問題に代わる新たな演習問題の画像データを前記データ格納部から読み出し、それらの読み出した画像データの識別子と出題番号との対応関係を決定し、当該対応関係を記録した後、前記読み出した画像データを出題番号順に前記画像メモリ部に上書き格納することを特徴とする学習システムを構成したものである。
【０００８】
上記構成において、好ましくは、前記学習システムは、前記○×記号判定部の判定に従い、前記デジタルペン筆記部から受けた○および×の記号に関するデータ並びにその前記入力面上の位置に関するデータを記録するペンデータ記録部をさらに備えており、
前記○×記号判定部は、前記デジタルペン筆記部からデータを受けたとき、そのデータを前記ペンデータ記録部に記録されたデータと比較し、前記デジタルペン筆記部の入力面に筆記された○の記号が、前記入力面に既に筆記された×の記号と予め決定された割合以上に重なると判定したとき、あるいは前記デジタルペン筆記部の入力面に筆記された×の記号が、前記入力面に既に筆記された○の記号と前記予め決定された割合以上に重なると判定したとき、前記採点履歴記録部に記録された該当する演習問題の正誤のデータを書き換えて、前記正誤表示部に前記正誤欄における該当する演習問題の正誤の表示を変更させるようになっている。
【０００９】
また好ましくは、前記学習システムは、正答数をカウントする正答数カウント部を備え、前記○×記号判定部は、前記デジタルペン筆記部から受けたデータが○の記号に関するものであると判定したとき、前記正答数カウント部のカウント値を１増加させるようになっており、さらに、前記正答数カウント部のカウント値が変化する毎に、前記正答数カウント部のカウント値を解答済演習問題の全問題数で割ることによって正答率を計算し、当該正答率を前記ディスプレイ部に表示する正答率表示部を備えている。
【発明の効果】
【００１０】
本発明によれば、解答済の問題用紙にデジタルペンで○や×の記号を書き込むだけで簡単に採点をすることができ、また、学習者が間違った問題が、正解が得られるまで自動的に繰り返し問題用紙中に掲載され、よって学習者は非常に簡単に反復学習をすることができる。
【発明を実施するための最良の形態】
【００１１】
以下、添付図面を参照して本発明の好ましい実施例について説明する。図１は、本発明の１実施例によるデジタルペンを利用した学習システムの構成を概略的に示した斜視図であり、図２は、図１のシステムの構成を示すブロック図である。図１に示されるように、本発明の学習システムは、コンピュータ本体１６と、ディスプレイ部１２と、キーボード１８およびマウス１９からなるデータ入力部とを備えたコンピュータ２０と、コンピュータ本体１６にケーブル１７を通じて接続されたデジタルペン筆記部１を備えている。
【００１２】
デジタルペン筆記部１は、デジタルペン１３と、解答済の問題用紙が保持されてデジタルペン１３による筆記が可能な入力面１４と、解答済の問題用紙上におけるデジタルペン１３のペン先１３ａの動きを検出するセンサー１５とを有していて、デジタルペン１３によって解答済の問題用紙に筆記された文字、数字、記号またはパターン、並びにその入力面１４上の位置に関するデータを出力する。
【００１３】
デジタルペン１３は、ペン先１３ａが入力面１４に押しつけられたときセンサー１５に対して検出開始信号を送出し、ペン先１３ａが入力面１４に押しつけられた後入力面１４から離されたときにセンサー１５に対して検出終了信号を送出する。また、センサー１５は、検出開始信号を受けてから検出終了信号を受けるまでのペン入力動作がなされる間、デジタルペン１３のペン先１３ａの動きを検出し、デジタルペン筆記部１は、ペン入力動作が終了する毎に、ペン入力動作がなされる間にデジタルペン１３によって入力面１４に筆記された文字、数字、記号またはパターン並びにその入力面１４上の位置に関するデータを出力する。
【００１４】
次に、図２を参照して、コンピュータ本体１６内には、各演習問題の画像データが対応する識別子とともに格納されたデータ格納部２と、画像メモリ部３と、データ格納部２から所定の演習問題の画像データを読み出し、読み出した演習問題の画像データの識別子と出題番号との対応関係を決定し、当該対応関係を記録した後、読み出した画像データを出題番号順に画像メモリ部３に格納する演習問題編集部８が備えられている。また、コンピュータ本体１６には、画像メモリ３に格納された演習問題の画像データを読み出して用紙に印刷し、問題用紙として出力するプリンタ部４が接続されている。
コンピュータ本体１６内には、さらに、デジタルペン筆記部１から受けたデータが○または×の記号に関するか否かを判定する○×記号判定部６と、○×記号判定部６の判定に従い、デジタルペン筆記部１から出題番号順に○または×の記号に関するデータを受ける毎に、出題番号との対応関係を記録する採点履歴記録部７と、ディスプレイ部１２に正誤欄を表示するとともに、採点履歴記録部７のデータに基づき、正誤欄に解答済の問題用紙中の出題番号毎の正誤を表示する正誤表示部１０が備えられている。
【００１５】
演習問題編集部８は、すべての解答済演習問題の採点が終了したとき、採点履歴記録部７に記録されたデータに基づき、×が付された演習問題の画像データを画像メモリ部３から読み出すとともに、○が付された演習問題に代わる新たな演習問題の画像データをデータ格納部２から読み出し、それらの読み出した画像データの識別子と出題番号との対応関係を決定し、当該対応関係を記録した後、読み出したすべての画像データを出題番号順に画像メモリ部３に上書き格納する。
【００１６】
好ましくは、○×記号判定部６の判定に従い、デジタルペン筆記部１から受けた○および×の記号に関するデータ並びにその入力面上の位置に関するデータを記録するペンデータ記録部５が、コンピュータ本体１６内に備えられる。そして、○×記号判定部６は、デジタルペン筆記部１からデータを受けたとき、そのデータをペンデータ記録部５に記録されたデータと比較し、デジタルペン筆記部１の入力面１４に筆記された○の記号が、入力面１４に既に筆記された×の記号と予め決定された割合以上に重なると判定したとき、あるいはデジタルペン筆記部１の入力面１４に筆記された×の記号が、入力面１４に既に筆記された○の記号と予め決定された割合以上に重なると判定したとき、採点履歴記録部７に記録された該当する演習問題の正誤のデータを書き換えて、正誤表示部１１に正誤欄における該当する演習問題の正誤の表示を変更させる。
【００１７】
コンピュータ本体１６内には、また、正答数をカウントする正答数カウント部９が備えられており、○×記号判定部６は、デジタルペン筆記部１から受けたデータが○の記号に関するものであると判定したとき、正答数カウント部９のカウント値を１増加させるようになっている。さらに、コンピュータ本体１６内には、正答数カウント部９のカウント値が変化する毎に、正答数カウント部９のカウント値を解答済演習問題の全問題数で割ることによって正答率を計算し、当該正答率をディスプレイ部１２に表示する正答率表示部１０が備えられている。
【００１８】
こうして、本発明による学習システムが起動され、使用者の認証手続きが完了すると、キーボード１８またはマウス１９を使用して必要なデータが学習システムに入力される。それに対応して、演習問題編集部８は、データ格納部２から演習問題の画像データを読み出し、読み出した演習問題の画像データの識別子と出題番号との対応関係を決定し、当該対応関係を記録した後、読み出した画像データを出題番号順に画像メモリ部３に格納する。
【００１９】
画像メモリ３に格納されたデータはディスプレイ部１２によって読み出され、ディスプレイ部１２に演習問題表示画面が表示される。演習問題表示画面が使用者によって確認された後、使用者の操作により、画像メモリ３に格納された演習問題の画像データがプリンタ部４によって読み出されて用紙に印刷され、プリンタ部４から、図３に示されるような問題用紙３０として出力される。
【００２０】
そして、学習者によってこの問題用紙の演習問題が解かれる。解答は鉛筆またはペンを用いて通常の方法でなされる。演習が終了したとき、図４に示されるように、解答済みの問題用紙３１の上端縁の予め決定された位置に、デジタルペン筆記部１のセンサー１５が取り付けられ、解答済みの問題用紙３１がデジタルペン筆記部３の入力面１４上に保持され、採点者により、デジタルペン１３を使用して、解答済みの問題用紙３１の出題番号順に○または×の記号が書き込まれる。このとき、ディスプレイ部１２には、図５に示されるように、採点結果表示画面３２が表示される。採点結果表示画面３２には、正誤欄３３および正答率表示欄３４が設けられている。
【００２１】
そして、デジタルペン１３によって○または×の記号が記入される毎に、その都度採点結果表示画面３２中の正誤欄３３の該当する出題番号の欄に○または×の記号が表示され、正答率表示欄３４には正答率が表示される。
【００２２】
採点者が採点作業の途中で採点を誤ったことに気づき、既に記入された○または×の記号の書き換えが必要とされる場合には、図６に示されるように、既に記入された記号の上から、デジタルペン１３によって新たな記号が書き込まれる（図６のＥ参照。この場合、○から×への書き換えがなされる。）。
それと同時に、図７に示されるように、採点結果表示画面３２における正誤欄３３の該当する問いの欄の正誤表示が変更され（この場合、○から×に変更される。）、正答率表示欄３４の表示も変更される。
【００２３】
こうして、本発明の学習システムによれば、採点者は、解答済の問題用紙にデジタルペンで○や×の記号を書き込むだけで簡単に採点をすることができる。
【００２４】
採点が終了したとき、採点結果表示画面３２のプリントアウトボタン３５がマウスによって押されると、正誤欄３３の表示および正答率表示欄３４の表示を含む採点結果が、プリンタ部４によってプリントアウトされる。
【００２５】
解答済演習問題の採点が完了したとき、学習者が正解した演習問題に代わる新たな演習問題の画像データがデータ格納部２から読み出され、学習者が間違った演習問題の画像データに加えられて新たなデータの組が形成され、そのデータの組から新たな演習問題が編集され、出題番号順に画像メモリ部３に上書き格納されるとともに、ディスプレイ部１２に演習問題表示画面が表示される。
演習問題表示画面が使用者によって確認された後、使用者による操作により、画像メモリ３に格納された演習問題の画像データがプリンタ部４によって読み出されて用紙に印刷され、プリンタ部４から新たな問題用紙が出力される。
【００２６】
学習者は、この問題用紙の演習問題に解答することにより、新たな演習問題を演習すると同時に、前回の演習で違った演習問題を繰り返し演習することができる。
こうして、本発明による学習システムによれば、学習者が間違った問題が、正解が得られるまで自動的に繰り返し問題用紙中に掲載され、よって学習者は非常に簡単に反復学習をすることができる。
【図面の簡単な説明】
【００２７】
【図１】本発明の１実施例によるデジタルペンを利用した学習システムの構成を概略的に示した斜視図である。
【図２】図１のシステムの構成を示すブロック図である。
【図３】プリンタ部から出力された問題用紙の平面図である。
【図４】デジタルペンを使って解答済みの問題用紙を採点する状態を説明する平面図である。
【図５】ディスプレイ部に表示された採点結果表示画面の平面図である。
【図６】デジタルペンを使って解答済みの問題用紙を採点する状態を説明する平面図である。
【図７】ディスプレイ部に表示された採点結果表示画面の平面図である。
【符号の説明】
【００２８】
１  デジタルペン筆記部
２  データ格納部
３  画像メモリ部
４  プリンタ部
５  ペンデータ記録部
６  ○×記号判定部
７  採点履歴記録部
８  演習問題編集部
９  正答数カウント部
１０  正答率表示部
１１  正誤表示部
１２  ディスプレイ部
１３  デジタルペン
１３ａ  ペン先
１４  入力面
１５  センサー
１６  コンピュータ本体
１７  ケーブル
１８  キーボード
１９  マウス
２０  コンピュータ
【図１】
2009237487.tif 000003
【図２】
2009237487.tif 000004
【図３】
2009237487.tif 000005
【図４】
2009237487.tif 000006
【図５】
2009237487.tif 000007
【図６】
2009237487.tif 000008
【図７】
2009237487.tif 000009